(57)【要約】【課題】見飽きることもなく、毎日の生活に有効に活用されるカレンダーを提供する。【解決手段】一月ごと、又は一日ごとに、めくられて使用されるカレンダーであって、曜日を含む日付情報を特定する日付欄２と、季節に対応した毎日の料理を、毎日の日付に対応してカラー表示する画像欄４と、画像欄に掲載された料理を作るための情報を取得する方法を特定した情報欄３とを有し、情報欄３には、インターネット上のＵＲＬが顕在的及び／又は潜在的に記載されている。【選択図】図１
0003145355.tif 000002
【実用新案登録請求の範囲】
【請求項１】
一月ごと、又は一日ごとに、めくられて使用されるカレンダーであって、
曜日を含む日付情報を特定する日付欄と、季節に対応した毎日の料理を、毎日の日付に対応してカラー表示する画像欄と、画像欄に掲載された料理を作るための情報を取得する方法を示した情報欄とを有し、
前記情報欄には、インターネット上のＵＲＬが顕在的及び／又は潜在的に記載されていることを特徴とするカレンダー。
【請求項２】
前記画像欄には、料理の完成カラー写真と共に、その料理名が記載されている請求項１に記載のカレンダー。
【請求項３】
前記潜在的なＵＲＬは、二次元バーコードで記載されている請求項１に記載のカレンダー。
【請求項４】
前記ＵＲＬは、
その日の画像欄に掲載された料理画像と、その日前後の複数日の画像欄に掲載された料理画像とを、一枚の画面に配置したＨＴＭＬファイルの位置を、直接的又は間接的に特定している請求項１〜３の何れかに記載のカレンダー。
【請求項５】
前記ＨＴＭＬファイルは、そこに掲載された料理画像の料理法を取得可能に構成されている請求項４に記載のカレンダー。
【請求項６】
携帯電話機と汎用パソコンに対応して、別々のＵＲＬが記載されている請求項1〜５の何れかに記載のカレンダー。
【考案の詳細な説明】
【技術分野】
【０００１】
本考案は、インターネット回線を通して、季節に合わせたバリエーションに富んだ料理情報を提供することができるカレンダーに関する。
【背景技術】
【０００２】
毎日の食事は、健康な生活を維持していく上で極めて重要であり、これを担当する主婦の責任と負担は軽くない。しかし、日々、バリエーションに富んだ食事を作ることは容易ではなく、特に、職業をもった主婦にとっては、多くの準備時間を確保できないことから、料理メニューがマンネリ化するのが実情である。
【０００３】
ところで、カレンダーは、各家庭に必要な必須アイテムではあるが、せいぜい、数日に一回ぐらいしか注目されないことから、更なる価値を付与することが望まれるところである。そこで、生活上必要と思われる商品情報や生活情報などを掲載したカレンダーも存在し、販売促進活動の一環として、これを無料配布することも行われてきた。
【考案の開示】
【考案が解決しようとする課題】
【０００４】
しかしながら、そのようなカレンダーでは、どうしても、公告主の企業名や商品名が目立つため、少なからず違和感があり、部屋に飾ることが敬遠されて使用されないことも多いのが実情である。また、通常のカレンダーには、せいぜい１２枚の写真しか掲載されないので、１ヶ月以内に見飽きてしまうのが実情である。
【０００５】
そこで、本考案の目的は、使用が敬遠されることも、見飽きることもなく、毎日の生活に有効に活用されるカレンダーを提供することにある。
【課題を解決するための手段】
【０００６】
上記の目的を達成するため、本考案は、一月ごと、又は一日ごとに、めくられて使用されるカレンダーであって、曜日を含む日付情報を特定する日付欄と、季節に対応した毎日の料理を、毎日の日付に対応してカラー表示する画像欄と、画像欄に掲載された料理を作るための情報を取得する方法を特定した情報欄とを有し、前記情報欄には、インターネット上のＵＲＬが顕在的及び／又は潜在的に記載されている。
【０００７】
本考案のカレンダーには、季節に対応した毎日の料理が掲載されているので、毎日の料理のネタ切れが回避されて、季節感溢れるバリエーションに富んだ料理を知ることができる。また、本考案のカレンダーには、季節に合わせた料理が掲載されていることから、季節の風景写真などが掲載されているカレンダーと遜色のない、季節感溢れるカレンダーを実現することができる。
【０００８】
しかも、通常のカレンダーでは、せいぜい１２枚の写真や絵画しか掲載できないが、本考案の場合には、色彩豊かな料理画像が３６５枚も掲載されるので、日々の生活の中でカレンダーを見ることに飽きがこない。例えば、本考案を日めくりカレンダーに適用した場合には、異なる料理が毎日現れることで、日々の生活を新鮮なものとすることができる。
【０００９】
一方、本考案を月めくりカレンダーに適用した場合には、１枚の用紙に３０枚前後の料理画像が表示されるので、目的の料理画像を注視した場合と、カレンダー全体を鳥瞰した場合とで、全く異なる印象を受けることで、長期間にわたって画像の新鮮さが維持される。つまり、月めくりカレンダーでは、１枚の用紙に、多数の料理画像が小さく表示されている点が逆に有効に機能する。
【００１０】
また、最高レベルの料理人が完成させた料理であれば、風景写真や絵画に匹敵するほどの美的価値を有しており、カレンダーの種類に拘わらず、毎日の生活を心豊かなものとすることもできる。更に、３６５枚の美しい料理写真は、これを見る者に対して、その料理を作ってみたいとの創作意欲を喚起するので、出来合いの食材に頼りがちな食生活が有効に改善されて、手作りの料理による安心で健康な食生活を達成することができる。
【００１１】
また、本考案のカレンダーには、ＵＲＬ(Uniform Resource Locator)が記載されているので、このＵＲＬ情報に基づいて、料理情報を取得できるようサーバを構築しておくことで、最短の料理時間で、失敗なく目的の料理を完成させることができる。ここで、ＵＲＬは、サーバ名、ポート番号、フォルダ名、ファイル名などを記載したインターネット上のアドレスを意味する。
【００１２】
このＵＲＬは、カレンダーに顕在的に記載しても良いし、潜在的に記載しても良い。顕在的な記載方法による場合には、文字通り、［http://サーバ名/・・・・/ファイル名］の文字列によって該当するＨＴＭＬファイルが特定される。ここで、ＨＴＭＬファイルとは、マークアップ言語(Hyper Text Markup Language)で作成されたファイルを意味し、ＵＲＬで特定されたサーバから、インターネット回線を経由して配信される。
【００１３】
一方、潜在的な記載方法では、好適には、二次元バーコードが使用される。二次元バーコードとしては、ＱＲコード（登録商標）、ベリコード（登録商標）、マキシコードなどが好適に使用される。二次元バーコードでＵＲＬを記載した場合には、携帯電話機などから二次元バーコードを読み取ることで、ＵＲＬを打ち込む手間を省くことができる。
【００１４】
何れの方法で記載した場合でも、カレンダーに掲載されたＵＲＬは、その日の画像欄に掲載された料理画像と、その日前後の複数日の画像欄に掲載された料理画像とを、一枚の画面に配置したＨＴＭＬファイルの位置を、直接的又は間接的に特定しているのが好適である。
【００１５】
ＨＴＭＬファイルの位置を間接的に特定する場合とは、例えば、カレンダーに掲載されているＵＲＬが、カレンダーを無償配布した企業のサーバを特定し、そのサーバの該当ページを経由して目的のＨＴＭＬファイルが特定される場合である。このような実施態様を採ると、ＵＲＬに基づき最初にアクセスされる企業について、さりげない広告宣伝をすることができる。また、最初にアクセス企業ＨＰにおいて、料理に関する関連情報を提供することで、その企業ＨＰの注目度を高めることもできる。
【００１６】
料理に関する関連情報とは、例えば、調理器具などを含む家電製品の情報や、料理の材料の入手先を示す情報であるが、これらの情報を、企業サーバから直接提供しても良いし、リンク情報として提供しても良い。
【００１７】
何れにしても、その日の料理画像と、その日前後の料理画像とを配置したＨＴＭＬファイルは、サーバからユーザのパソコンや携帯電話機に配信されて表示される。そこで、ユーザ側に表示されるＴＭＬファイルは、そこに掲載された料理画像の料理法を取得可能に構成するのが好適である。具体的には、料理画像をクリックすると、その料理の材料や料理手順が記載されたＨＴＭＬファイルに繋がるよう構成するのが好適である。
【００１８】
ＨＴＭＬファイルを取得するためのＵＲＬは、携帯電話用と汎用パソコン用の二種類をカレンダーに掲載しておくのが好ましい。この場合には、ＨＴＭＬファイルも別々に用意されるのは勿論である。
【考案の効果】
【００１９】
上記した通り、本考案のカレンダーは、季節に対応した毎日の料理が掲載されて構成されているので、見飽きることがなく、日々の生活を豊かにすることができる。
【考案を実施するための最良の形態】
【００２０】
本考案を実施例に基づき以下に説明する。図１は、広告主より顧客に配られる実施例に係るカレンダー１を示す図面である。
【００２１】
このカレンダー１は、月代わりカレンダーであって、１月〜１２月まで１２枚のカレンダー用紙で構成され、各カレンダー用紙は、そのほぼ全域を占有して大きく配置された日付表示部２と、日付表示部２の下側に小さく配置されたＵＲＬ表示部３とに大別されて構成されている。
【００２２】
日付表示部２は、日付ごとに区分けされており、各日付ごとに異なる一品の料理カラー画像４と、その料理名が描かれている。ここで、料理画像４は３６５個の異なる料理の画像であり、季節に合った料理が各月の日付表示部２に夫々配置されている。
【００２３】
ＵＬＲ表示部３には、カレンダーに掲載された全ての料理について、その詳細なレシピが記載されたＷＥＢサイトへ導くパソコン用ＵＲＬ欄５と、携帯電話用ＵＲＬ欄６と、携帯電話用ＵＲＬ６が記録された二次元コード欄７とが設けられている。なお、この実施例では、ＵＲＬ欄５，６に記載されたＵＲＬは、レシピが記載されたＷＥＢサイトのアドレスではなく、カレンダー１を配布する広告主の企業紹介をするＷＥＢサイトのアドレスが記載されている。
【００２４】
図２は、本考案のカレンダーを使用した情報提供システムの構成図である。図示の情報提供システムは、図１のカレンダーに掲載した料理について詳細なレシピを公開するレシピサーバＳＶ１と、カレンダーを顧客へ配布する広告主などが保有する中継サーバＳＶ２と、ブラウザが動作可能なユーザパソコンＰＣ又は携帯電話機ＭＢと、基地局８を介して携帯電話機ＭＢが接続される移動体通信網９と、ユーザパソコンＰＣやサーバ機器ＳＶ１，ＳＶ２が接続されるインターネット回線１０とで構成されている。
【００２５】
なお、図２の情報提供システムでは、広告主について企業紹介をするため、中継サーバＳＶ２が配置されているが、中継サーバＳＶ２を省略して、各ユーザＰＣ，ＭＢが、直接レシピサーバＳＶ１をアクセスする構成を採るのも好適である。
【００２６】
何れにしても、レシピサーバＳＶ１には、ブラウザＰＣ，ＭＢからの要求に応じて、レシピ情報をＷＥＢデータベースＤＢから読み出して送信するサーバプログラムが搭載されている。ＷＥＢデータベースＤＢは、３６５種類の料理レシピが記載されたレシピファイルＲＦ０００．ｈｔｍｌ〜ＲＦ３６４．ｈｔｍｌと、完成状態の料理写真を示す３６５枚の画像データＲＧ０００．ｊｐｇ〜ＲＧ３６４．ｊｐｇと、レシピサーバＳＶ１のＴＯＰページを作成するための変換文字テーブルＴＢＬとを有して構成されている。
【００２７】
レシピサーバＳＶ１のＴＯＰページは、レシピサーバＳＶ１が、ユーザ側のクライアント機器ＰＣ，ＭＢに、最初に配信するＨＴＭＬファイルである。そして、この実施例では、このＴＯＰページの内容を、毎日、自動的に更新するために、変換文字テーブルＴＢＬを設けている。
【００２８】
図３は、変換文字テーブルＴＢＬの内容を例示したものである。図示の通り、変換文字テーブルＴＢＬは、１月１日から１２月３１日までの日付データが格納された日付欄と、日付データに対応して必要なテキストデータが格納されている、料理欄、画像ファイル欄、及びレシピファイル欄とに区分して構成されている。
【００２９】
料理欄には、カレンダーに掲載された３６５日の料理名を示すテキストデータが日付順に格納されている。また、画像ファイル欄には、カレンダーに掲載された３６５日の料理写真を示すファイル名（ＲＧ−−−．ｉｐｇ）が、テキストデータ（”ＲＧ−−−．ｊｐｇ”）の形式で日付順に格納されている。
【００３０】
一方、レシピファイル欄には、カレンダーに掲載された３６５日の料理の料理手順を詳細に示すレシピファイル（ＲＦ−−−．ｈｔｍｌ）が、テキストデータ（”ＲＦ−−−．ｈｔｍｌ”）の形式で日付順に格納されている。レシピファイル（ＲＦ０００．ｈｔｍｌ〜ＲＦ３６４．ｈｔｍｌ）は、各料理を完成させるために材料と、料理手順とを詳細に説明したＨＴＭＬファイルである。この３６５日分のＨＴＭＬファイルは、完成写真（ＲＧ０００．ｊｐｇ〜ＲＧ３６４．ｊｐｇ）などと共にデータベースＤＢに格納されている。
【００３１】
図６に示す通り、レシピファイル（ＲＦ０００．ｈｔｍｌ〜ＲＦ３６４．ｈｔｍｌ）は、完成状態の料理のカラー写真が配置される写真欄１１と、写真欄１１の料理を作るための材料を示す材料欄１２と、料理完成までの一連の手順を示す複数の手順欄１３・・・１３とを有して構成されている。
【００３２】
写真欄１１には、３６５枚の画像データＲＧ０００．ｊｐｇ〜ＲＧ３６４．ｊｐｇの何れかが配置され、例えば、第ｉ番目のレシピファイルＲＦｉには、第ｉ枚目の画像データＲＧｉ．ｊｐｇが配置される。図示の通り、材料欄１２には、材料名とその数量を示す文字データが配置される。
【００３３】
また、手順欄１３は、各手順における料理法を示す写真欄１３Ａと、各手順において実行すべき作業を示す文字欄１３Ｂとの区分されている。なお、文字欄１３Ｂには概略手順だけが記載されており、より詳細な作業内容については、写真欄１３Ａをクリックすると表示されるようになっている。
【００３４】
図５は、レシピサーバＳＶ１が最初に配信するＴＯＰページのレイアウトを示している。図示の通り、ＴＯＰページは、上段に配置されて今日の料理を示すメイン欄１４と、中段に配置されて過去一週間の料理を示す過去欄１５と、下段に配置されて未来一週間の料理を示す未来欄１６とに大別されている。また、右上部には、詳細な料理レシピについて、料理名や日付に基づいて検索可能なページへのリンク情報が記載されている。
【００３５】
メイン欄１４には、今日の料理の完成写真が、その料理名と共に掲載されるようになっている。例えば、２月１日に配信されるＴＯＰページでは、メイン欄１４には、カレンダーの２月１日の欄に掲載されている料理と同じ、料理画像データＲＧ０３１．ｊｐｇが配置される。
【００３６】
一方、中段の過去欄１５は七区分されて構成されており、カレンダーに記載された料理に対応して、過去一週間の料理写真が料理名と共に配置される。例えば、２月１日に配信されるＴＯＰページでは、図示の通り、１月２４日から１月３１日までの料理画像データＲＧ０２３．ｊｐｇ〜ＲＧ０３０．ｊｐｇが、料理名とともに配置される。
【００３７】
未来欄１６についても同様であり、七区分された各区画には、カレンダーに記載された料理に対応して、未来一週間の料理写真が料理名と共に配置される。図示例では、２月２日から２月９日までの料理画像データＲＧ０３２．ｊｐｇ〜ＲＧ０３９．ｊｐｇが料理名とともに配置されている。
【００３８】
先に説明したとおり、本実施例では、レシピサーバＳＶ１が最初に配信するＴＯＰページは毎日、自動的に更新される必要がある。図７は、この更新処理を説明するフローチャートであり、レシピサーバＳＶ１において、日付変更時（０時０分０秒）に自動的に起動されるよう構成されている。
【００３９】
この実施例では、図５に示すレイアウトの半完成状態の基準ファイルが用意されており、図８に示す基準ファイル(BASE.html)の可変部分（＊＊、○○、△△）を、日付に合わせて変更するようにしている。
【００４０】
具体的には、可変部分＊＊には、３６５種類のレシピファイル（ＲＦ０００．ｈｔｍｌ〜ＲＦ３６４．ｈｔｍｌ）の何れかが、更新日に対応して記入される。また、可変部分△△には、３６５種類の完成料理の料理画像データ（ＲＧ０２３．ｊｐｇ〜ＲＧ０３０．ｊｐｇ）の何れかが、更新日に対応して記入される。同様に、可変部分○○には、３６５日の料理名の何れかが更新日に対応して記入される。
【００４１】
図７について説明すると、更新処理が起動されると、先ず、当日の日付を特定する日付データが取得される（ＳＴ１）。次に、取得した日付データを検索キーにして変換文字テーブルＴＢＬを検索し、該当行を特定する（ＳＴ２）。ここでは、Ｉ行が特定されたことにする。
【００４２】
次に、基準ファイルBASE.htmlを読み出し、最初に検出される可変部分○○、＊＊、△△を、それぞれ、変換文字テーブルＩ行目の「画像ファイル名（ＲＧ−−−．ｊｐｇ）」と、「レシピファイル名（ＲＦ−−−．ｈｔｍｌ）」と、「料理名」に書き換える（ＳＴ３〜ＳＴ５）。図５に示すレイアウトから明らかな通り、ＴＯＰページの最上段には、今日の料理を示すメイン欄１４が配置されているので、ステップＳＴ３〜ＳＴ５の処理によって、ＴＯＰページのメイン欄が完成したことになる。
【００４３】
次に、変数ＪをＩ−７に初期設定し（ＳＴ６）、Ｊ＝Ｉ−７〜Ｊ＝Ｉ−１まで合計７回、検出される可変部分○○、＊＊、△△を、それぞれ、変換文字テーブルＪ行目の「画像ファイル名」と、「レシピファイル名」と、「料理名」に書き換える（ＳＴ７〜ＳＴ９）。この処理によって、ＴＯＰファイルの中段に配置された過去欄１５が完成されることになる。
【００４４】
次に、Ｊ＝Ｉとなると何もしないで変数Ｊを増加させた後（ＳＴ１０、ＳＴ１１）、Ｊ＝Ｉ＋１〜Ｊ＝Ｉ＋７まで合計７回、検出される可変部分○○、＊＊、△△を、それぞれ、変換文字テーブルＪ行目の「画像ファイル名」と、「レシピファイル名」と、「料理名」に書き換える（ＳＴ７〜ＳＴ９）。この処理によって、ＴＯＰファイルの下段に配置された過去欄１６が完成されることになる。
【００４５】
以上のような更新処理によって、ＴＯＰページが毎日自動的に更新されるので、ユーザは、レシピサーバＳＶ１をアクセスするだけで、その季節に適した１５種類の料理を知ることができる。なお、このＴＯＰページは、携帯電話機用と汎用パソコン用に別々に設けられるのは勿論である。この点は、レシピサーバＳＶ１や中継サーバＳＶ２から返信される全てのＨＴＭＬファイルについても同様である。
【００４６】
次に、図２に示す情報提供システムの活用方法について説明する。カレンダー１に触発されたユーザが、今日の料理を作ってみたいと希望した場合、パソコンＰＣ又は携帯電話ＭＢで直接ＵＲＬを打ち込むか、携帯電話ＭＢで二次元コードを読み込むことにより広告主の中継サーバＳＶ２にアクセスする。
【００４７】
中継サーバＳＶ２には、例えば、広告主の企業を紹介するホームページファイルＨＰが格納されている（図４参照）。そして、そのホームページファイルＨＰには、料理情報をアクセスするためのＵＲＬがリンクされている。
【００４８】
そこで、ユーザからリンク情報に基づきレシピサーバＳＶ１をアクセスすると、レシピサーバＳＶ１は、図７の処理で自動更新されているＴＯＰページ（図５参照）をユーザ側に返信する。そして、ユーザが、例えば今日の料理を選択すると、レシピサーバＳＶ１より、その料理に対応したレシピファイルＲＦ−−−．ｈｔｍｌがユーザへ送信されるので、そのレシピファイルの記載内容にしたがえば、最短の料理時間で、失敗なく目的の料理を完成させることができる。
【００４９】
ところで、その日を含む前後一週間には含まれない料理を作りたい場合もある。そのような場合には、図５のＴＯＰページから検索ページに移行する。すると、図９に示すような検索ページが配信されるので、日付が料理名をテキスト入力することで目的の料理レシピを得ることができる。
【００５０】
以上本考案の実施例について具体的に説明したが、具体的な記載内容は、特に本考案を限定するものではない。特に、変換文字テーブルＴＢＬを含む情報提供システムの構成は、適宜に変更される。また、図１に示すカレンダーの具体的な構成も同様であり、本考案の趣旨を逸脱することなく、適宜にデザイン変更することが可能である。
【図面の簡単な説明】
【００５１】
【図１】実施例に係るカレンダーを示す図面である。
【図２】カレンダーに記載された情報を有効利用するための情報提供システムを示すブロック図である。
【図３】変換文字テーブルの構成を示す図面である。
【図４】中継サーバを説明する図面である。
【図５】レシピサーバから配信されるＴＯＰページを説明する図面である。
【図６】レシピファイルを説明する図面である。
【図７】ＴＯＰページの更新処理を説明するフローチャートである。
【図８】基準ファイルの一部を示す図面である。
【図９】検索ページを説明する図面である。
【符号の説明】
【００５２】
１      カレンダー
２      日付欄
４      画像欄
３      情報欄
【図１】
0003145355.tif 000003
【図２】
0003145355.tif 000004
【図３】
0003145355.tif 000005
【図４】
0003145355.tif 000006
【図５】
0003145355.tif 000007
【図６】
0003145355.tif 000008
【図７】
0003145355.tif 000009
【図８】
0003145355.tif 000010
【図９】
0003145355.tif 000011
【手続補正書】
【提出日】平成20年7月24日(2008.7.24)
【手続補正１】
【補正対象書類名】実用新案登録請求の範囲
【補正対象項目名】全文
【補正方法】変更
【補正の内容】
【実用新案登録請求の範囲】
【請求項１】
一月ごと、又は一日ごとに、めくられて使用されるカレンダーであって、
曜日を含む日付情報を特定する日付欄と、季節に対応した毎日の料理を、毎日の日付に対応してカラー表示する画像欄と、画像欄に掲載された料理を作るための情報を取得する方法を示した情報欄とを有し、カレンダー用紙のほぼ全域を占有する前記日付欄と、前記日付欄の下部の前記情報部とに大別され、前記画像欄が日付欄に各々配置されると共に、
前記情報欄には、インターネット上のＵＲＬが顕在的及び／又は潜在的に記載されていることを特徴とするカレンダー。
【請求項２】
前記画像欄には、料理の完成カラー写真と共に、その料理名が記載されている請求項１に記載のカレンダー。
【請求項３】
前記潜在的なＵＲＬは、二次元バーコードで記載されている請求項１に記載のカレンダー。
【請求項４】
前記ＵＲＬは、
その日の画像欄に掲載された料理画像と、その日前後の複数日の画像欄に掲載された料理画像とを、一枚の画面に配置したＨＴＭＬファイルの位置を、直接的又は間接的に特定している請求項１〜３の何れかに記載のカレンダー。
【請求項５】
前記ＨＴＭＬファイルは、そこに掲載された料理画像の料理法を取得可能に構成されている請求項４に記載のカレンダー。
【請求項６】
携帯電話機と汎用パソコンに対応して、別々のＵＲＬが記載されている請求項１〜５の何れかに記載のカレンダー。
【手続補正２】
【補正対象書類名】明細書
【補正対象項目名】０００６
【補正方法】変更
【補正の内容】
【０００６】
上記の目的を達成するため、本考案は、一月ごと、又は一日ごとに、めくられて使用されるカレンダーであって、曜日を含む日付情報を特定する日付欄と、季節に対応した毎日の料理を、毎日の日付に対応してカラー表示する画像欄と、画像欄に掲載された料理を作るための情報を取得する方法を示した情報欄とを有し、カレンダー用紙のほぼ全域を占有する前記日付欄と、前記日付欄の下部の前記情報部とに大別され、前記画像欄が日付欄に各々配置されると共に、前記情報欄には、インターネット上のＵＲＬが顕在的及び／又は潜在的に記載されている。